(57)【要約】【課題】魚釣用リールおよび釣竿の構造を変更することなく、釣竿にバッテリを確実かつ安定した状態で保持させること【解決手段】魚釣用電動リール１０の給電用バッテリ３６を保持する保持部４２と、この保持部４２に連結され、釣竿８に設けられた魚釣用リール取付用リールシート２８とこのリールシート２８に取付けられる魚釣用電動リール１０の取付脚部２４との間に挟持される取付部５４とを有するバッテリホルダ４０。【選択図】  図１
2006280224.tif 000002
【特許請求の範囲】
【請求項１】
魚釣用電動リールの給電用バッテリを保持する保持部と、この保持部に連結され、釣竿に設けられた魚釣用リール取付用リールシートとこのリールシートに取付けられる魚釣用電動リールの取付脚部との間に挟持される取付部とを有することを特徴とするバッテリホルダ。
【請求項２】
前記取付部は、保持部に作用するバッテリの重さに抗して、リールシートと取付脚部との間から抜出るのを防止する抜け止め部を有することを特徴とする請求項１に記載のバッテリホルダ。
【請求項３】
前記取付部から保持部に向けて延び、前記リールシートと取付脚部との間に取付部を挟持したときに、この保持部を前記取付部から離して配置する連結部を有することを特徴とする請求項１または２に記載のバッテリホルダ。
【請求項４】
釣竿に設けられた魚釣用リール取付用リールシートと、このリールシートに取付けられる魚釣用電動リールの取付脚部との間に挟持される取付部を有することを特徴とする魚釣用バッテリ。
【請求項５】
前記取付部は、バッテリの重さに抗して、リールシートと取付脚部との間から抜出るのを防止する抜け止め部を有することを特徴とする請求項４に記載のバッテリ。
【請求項６】
前記取付部からバッテリに向けて延び、前記リールシートと取付脚部との間に取付部を挟持したときに、このバッテリを前記取付部から離して配置する連結部を有することを特徴とする請求項４または５に記載のバッテリ。
【請求項７】
魚釣用電動リールの給電用バッテリに設けた取付部を、釣竿に設けられた魚釣用リール取付用リールシートとこのリールシートに取付けられる魚釣用電動リールの取付脚部との間に挟持して保持したことを特徴とする魚釣装置。
【請求項８】
前記バッテリは魚釣用電動リールの下方側に配置されることを特徴とする請求項７に記載の魚釣装置。
【発明の詳細な説明】
【技術分野】
【０００１】
本発明は、魚釣用バッテリ、バッテリホルダおよびバッテリを設けた魚釣装置に関する。
【背景技術】
【０００２】
従来、船釣等の深場あるいは沖合いでの釣りには、釣糸が巻回されるスプールを電動モータで駆動する電動リールが多く使用されている。このような電動リールのスプール駆動用モータへの給電は、スプールを支えるリール本体に設けた給電接続部に、長い給電コードの一端に設けたケーブルコネクタを接続し、この長い給電コードを介して、例えば鉛蓄電池等の重くかつ遠く離れた外部バッテリから行われている（例えば特許文献１および特許文献２参照）。
【０００３】
このような長い給電コードを介して、魚釣用リールとこれから遠く離れたバッテリとを接続するする場合には、長い給電コード自体が邪魔になることに加え、魚の当たりを待ったり、誘い操作や魚の取込み操作の際に、この長い給電コードで釣竿の動きが制約され、誘い操作や魚の取込み操作等を思い通りに自由に行うことができず、不便であった。
【０００４】
また、リールシートに取り付けたバッテリの上に、更にこのバッテリの上に重ねて魚釣用リールを取り付けた例も紹介されている（例えば特許文献３参照）。
【０００５】
このように魚釣用リールが高い位置に取付けられるとバランスが悪く、釣りの操作を思い通りに行うことが困難である。
【特許文献１】特開平１０−２１５７３７号公報
【特許文献２】特開２００２−２７６７６
【特許文献３】実開平５−７６２６７号公報
【発明の開示】
【発明が解決しようとする課題】
【０００６】
長い給電コードによる制約を排除するために、バッテリを釣竿や魚釣用リールに取り付けたり、支持させることも考えられるが、この場合には、魚釣用リールあるいは釣竿の構造を大きく変更することが必要となる。また、釣竿自体が細いことに加え、このような細い釣竿に取付けられた魚釣用リールの操作性を阻害することなく、比較的重量のあるバッテリを安定させた状態で確実に保持することは困難であった。
【０００７】
本発明は、このような事情に基づいてなされたもので、簡単な構造で、釣竿にバッテリを確実かつ安定した状態で保持させることを目的とする。
【課題を解決するための手段】
【０００８】
上記課題を解決するため、本発明によると、魚釣用電動リールの給電用バッテリを保持する保持部と、この保持部に連結され、釣竿に設けられた魚釣用リール取付用リールシートとこのリールシートに取付けられる魚釣用電動リールの取付脚部との間に挟持される取付部とを有するバッテリホルダが提供される。
【０００９】
また、釣竿に設けられた魚釣用リール取付用リールシートと、このリールシートに取付けられる魚釣用電動リールの取付脚部との間に挟持される取付部を有する魚釣用バッテリが提供される。
【００１０】
更に、魚釣用電動リールの給電用バッテリに設けた取付部を、釣竿に設けられた魚釣用リール取付用リールシートとこのリールシートに取付けられる魚釣用電動リールの取付脚部との間に挟持して保持した魚釣装置が提供される。
【発明の効果】
【００１１】
このような本発明によると、取付部が、釣竿に設けられた魚釣用リール取付用リールシートとこのリールシートに取付けられる魚釣用電動リールの取付脚部との間に挟持されることにより、魚釣用電動リールを釣竿に取付ける際に、極めて簡単に、かつがたつきを防止された安定した状態でバッテリを保持することができ、遠くから引延ばされた長い給電コードを引き回すことなく魚釣に専念することができる。
【発明を実施するための最良の形態】
【００１２】
図１から図３は、本発明の好ましい実施形態を示す。  
図示のように、釣竿８に取付けた状態で示す魚釣用リール１０は、電動リールであり、リール本体１２の両側に配置した一対の側板１４間に、図示しないスプール軸を介してスプール１６が回転可能に支持されている。通常と同様に、このスプール１６には、リール本体１２のスプール１６前方の側板１４間にモータケースを介して収容された公知のスプール駆動モータ、あるいは、一側の側板１４に設けたハンドル１８による巻取り操作により形成される駆動力で、図示しない公知の減速機構あるいは動力伝達機構を介してスプール１６が回転されて、釣糸ｔが巻回される。
【００１３】
一対の側板１４に通常と同様に取付けられたスプール駆動モータのモータ出力調節用操作部を操作することにより、リール本体１２に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプール１６の回転速度、つまり、釣糸の巻取り速度を制御することができる。
【００１４】
このリール本体１２の上面の前方部位には、通常の電動リールと同様に、例えば、釣糸ｔの繰出し量（糸長）、棚位置等の種々の制御機能，制御条件等を表示する液晶表示部を配置し、更に、棚位置を設定する棚取りボタン、糸長計測値の値をゼロにリセットするリセットボタン、および、押込んでいるときにのみスプール駆動モータを駆動させ、解放したときに停止して微妙な巻上操作を可能とする寸動ボタン等の種々のボタンあるいはスイッチ類を配置してある。
【００１５】
通常と同様に、リール本体１２には、クラッチ機構（図示しない）も設けられており、このクラッチ機構を通じてスプール軸に駆動連結するスプール駆動モータあるいはハンドル１８で形成される駆動力を伝達しあるいは駆動力を遮断することができる。クラッチ機構がスプール軸をスプール駆動モータおよびハンドル１８から分離した状態（スプールフリー状態）で、ハンドル１８を回転させると、図示しない復帰機構を介して、スプール軸が元の状態（巻取状態）に復帰する。これにより、スプール軸と一体化されているスプール１６を、スプール駆動モータあるいはハンドル１８が形成する駆動力で回転することができる。符号２０は、スプール１６が釣糸繰出し方向に滑り出すときのドラグ力を調整するドラグ操作部を示す。
【００１６】
更に、リール本体１２の下部前方の、ハンドル１８から離隔した反ハンドル側の側板１４の下部で、リール本体１２を保持した手と干渉しない位置に、スプール駆動モータに電力を供給する給電接続部２２を設けてある。この給電接続部２２は、例えば船の電力源、発電機、大型バッテリ等の外部電源から延びる通常の給電コードのプラグであるケーブルコネクタ（図示しない）を相手方コネクタとして嵌合すると共に、この給電接続部２２を介してリール本体１２内に水が浸入するのを防止する防水構造のコネクタで形成してある。
【００１７】
このような魚釣用リール１０を釣竿８に取付けるため、リール本体１２には釣竿８の長手方向軸線８ａに沿って前後方向に延びる取付脚部２４がその下側に配置されている。また、釣竿８には、この取付脚部２４を介して、魚釣用リール１０を取付けるためのリールシート２８が設けられている。このリールシート２８は、取付脚２４が載置される取付脚載置面３０の前方に、取付脚部２４の先端部を受入れる固定カバー３２Ａを配置し、後方に配置した移動カバー３２Ｂをナット状に形成される締付け部３４により釣竿８の軸線８ａに沿って前後動させることができる。
【００１８】
このリールシート２８に魚釣用リール１０を取付ける場合は、魚釣用リール１０の取付脚２２の先端部をこのリールシート２４の固定カバー３２Ａ内に挿入した状態で、取付脚部２４を取付脚載置面３０上に載置する。この後、締付け部３４を回転させつつ取付脚部２４の後端部を移動カバー３２Ｂ内に収容して前方に押込み移動させると、魚釣用リール１０の取付脚部２４は、固定カバー３２Ａおよび移動カバー３２Ｂ間で挟持されつつ取付脚載置面３０上に押圧される。これにより、取付脚部２２がリールシート２４に強固に取付けられる。逆に、締付け部３４をねじ戻して移動カバー３２Ｂを後方に移動することにより、釣竿８のリールシート２８から魚釣用リール１０を取外すことができる。
【００１９】
本実施形態では、このように一体的に取付けられた釣竿８および魚釣用リール１０が、これらの取付脚部２２とリールシート２４の特に取付脚載置面３０との間に挟持される後述の取付部を介して取付けられる例えばリチウムイオン電池等の携帯可能な給電用バッテリ３６と共に、魚釣装置を形成する。
【００２０】
この給電用バッテリ３６は、後述するバッテリホルダ４０を介して釣竿８に取付けられ、先端側から延びる給電コード３８の先端部に設けたコネクタ部３８ａ（図１）を魚釣用リール１０の給電接続部２２に連結し、給電コード３８の取付用ナット３８ｂをこの給電接続部２２に締付ける。これにより、この給電用バッテリ３６から魚釣用リール１０のスプール駆動モータに駆動電力を供給することが可能となる。
【００２１】
図１に示すように、バッテリホルダ４０は、給電用バッテリ３６を保持する筒状の保持部４２を備え、この保持部４２の内部空間がバッテリ３６を収納する収納部を形成する。この保持部４２は、バッテリ３６をその基端側すなわち給電コード３８が延出される先端側とは反対側の端部から受入れる開口端４４と底壁４６ａで閉じられた閉鎖端４６とを有する。この保持部４２には、底壁４６ａを径方向にほぼ差渡す状態に延びかつ周壁部の全長に添って延びる切欠き部４８が形成されており、これにより、保持部４２の開口端４４および内部空間を拡径あるいは縮径させて、バッテリ３６の装着および取外しを容易に行うことができる。更に、この保持部４２の周壁部に、２つの締付手段５０が設けられている。本実施形態の締付手段５０は、切欠き部４８を臨む一側に固定されて先端に雄側面ファスナを設けた可撓性のベルト５０ａと、他側に固定された雌側面ファスナを設けた受部５０ｂとで形成され、保持部４２内に収容したバッテリ３６を締付けて保持することができる。
【００２２】
このように形成した保持部４２には、連結部５２を介して取付部５４が設けられており、この取付部５４を介して、バッテリホルダ４０を釣竿８のリールシート２８に取付けることができる。連結部５２は、バッテリ３６を釣りの操作の邪魔にならない適当位置に配した状態で保持するために、取付部５４から延びてバッテリホルダ４０に接続された支持片で連結部５２によってバッテリホルダ４０は取付部５４から適当に離れた位置に配される。例えば、連結部５２は、取付部５４を介してバッテリホルダ４０を釣竿８のリールシート２８に固定したときに、ハンドル１８から離隔した側で、バッテリ３６と釣竿８との間に、釣り人の手を差し入れることができるスペースＳを形成し、装着したバッテリ３６との干渉を避けつつ自由な魚釣操作を可能とする。連結部５２の長さおよび形状は適宜に形成してもよく、釣竿８の軸線８ａに対して外方に向けて軸線８ａから離れる方向に延設するか、軸線８ａの周方向に湾曲した湾曲形状を形成することが好ましい。
【００２３】
また、連結部５２は折り曲げて変形させることができ、取り付ける魚釣装置に応じてバッテリ３６を適当位置に配置できる。
【００２４】
リールシート２８に固定される取付部５４は、図１に明瞭に示すように、釣竿８の軸線８ａの方向に沿って細長く形成した板状形状を有する。この取付部５４の長手方向の各端部には、リールシート２８の固定カバー３２Ａおよび移動カバー３２Ｂ内に差込まれる前部抜け止め部５４ａおよび後部抜け止め部５４ｂが形成される。この細長い板状形状の取付部５４のリールシート２８および魚釣用リール１０の取付脚部２４に接続される上下面に対し挟持されない左右側面の一側（ハンドル１８から離隔した側）からは、上述の連結部５２が延び、他側（ハンドル１８側）からは、リールシート２８に魚釣用リール１０を取付けたときに、取付脚部２４の側面に当接する突片５６を抜け止め用として上方に突出させてある。これらの連結部５２および突片５６は、魚釣用リール１０を取付けたときにリールシート２８の固定カバー３２Ａおよび移動カバー３２Ｂと干渉することなくこれらの間に配置されるものであれば、取付部５４の適宜の位置に配置することも可能である。
【００２５】
このようなバッテリホルダ４０は、保持部４２と連結部５２と取付部５４とを別部材で形成して互いに連結することも可能であるが、その全体を、ステンレス鋼あるいはチタン合金等の金属、あるいは合成樹脂等の適宜の材料を用いて一体構造に形成することが好ましい。特に取付部５４は薄肉で高強度の金属で形成することにより、この取付部５４をリールシート２８に取付ける際、魚釣用リール１０の取付脚部２４の下に重ねて前後の抜け止め部５４ａ，５４ｂを固定カバー３２Ａおよび移動カバー３２Ｂ内に十分に挿入することが可能である。これらの抜け止め部５４ａ，５４ｂは、先細状に形成しあるいは他の部分よりも薄肉構造に形成することも可能である。
【００２６】
このバッテリホルダ４０は、予め保持部４２にバッテリ３６を収納して締付手段５０を締付けた状態で取付部５４をリールシート２８に取付けることができる。勿論、バッテリ３６を交換する場合等には、取付部５４をリールシート２８に固定した状態で保持部４２から消耗したバッテリ３６を取外し、新しいバッテリ３６に交換することも可能である。いずれの場合も、取付部５４をリールシート２８に取付ける場合は、リールシート２８の移動カバー３２Ｂを後方に移動した後、取付部５４の前部抜け止め部５４ａを固定カバー３２Ａ内に挿入して取付脚載置面３０上に載置する。この取付部５４に重ねて、魚釣用リール１０の取付脚部２４を載置する。バッテリホルダ４０の連結部５２は取付脚部２４から側方に延び、突片５６が取付脚部２４の他側に係合状態に配置される。この後、締付け部３４を回転しつつ移動カバー３２Ｂを前方に移動し、取付脚部２４および取付部５４を取付脚載置面３０上に強固に押圧させることにより、魚釣用リール１０およびバッテリホルダ４０の取付けが完了して魚釣装置が形成される。ハンドル１８から離隔した側にバッテリ３６を収納した保持部４２が配置され、このバッテリ３６から延びる給電コード３８のコネクタ部３８ａを給電接続部２２に取付け、取付ナット３８ｂを締付けると、魚釣用リール１０に電力を供給することができる。
【００２７】
このように取付部５４が魚釣用電動リール１０の取付脚部２４と取付脚部載置面３０との間に挟持された状態で強固に締付け保持されることにより、魚釣用電動リール１０を釣竿に取付ける際に、極めて簡単に取付けることができると共に、締付具５０で保持部４２に保持されてがたつきが防止された安定した状態でバッテリ３６を保持することができ、遠くから引延ばされた長い給電コードを引き回すことなく魚釣に専念することができる。しかも、魚釣用リール１０の側板１４の下側が握持でき、また、連結部５２がバッテリ３６と釣竿８との間にスペースＳを形成するように魚釣用電動リール１０の下方側に配置するため、釣竿８の握持ができ、このバッテリ３６が魚釣操作の邪魔になることもない。
【００２８】
図４から図６は、第２実施形態を示す。なお、以下に示す種々の実施形態あるいは変形例は、基本的には上述の実施形態と同様であるため、同様な部位には同様な符号を付してその詳細な説明を省略する。
【００２９】
本実施形態のバッテリホルダ４０Ａは、魚釣用電動リール１０のハンドル１８側の魚釣用電動リール１０の下方側にバッテリ３６を配置した状態に保持し、この電動リール１０を握持し易くしてある。  
連結部５２は、ハンドル１８に近接する側で取付部５４から延び、保持部４２の閉鎖端４６側を支持する。連結部５２は前縁側が後縁側よりも短く形成され、保持部４２の開口端４４側を上方側に傾斜させた状態とする。これにより、バッテリ３６は上述の実施形態よりも前方位置で釣竿の軸線８ａに対して傾斜させて取付けられる。給電コード３８は釣竿８の下側をくぐらせた状態で、反対側に位置する給電接続部２２に接続される。締付手段５０は、開口端４４側にのみ設けてある。
【００３０】
図７から図９は、第３実施形態を示す。本実施形態のバッテリホルダ４０Ｂは、釣竿８の下側にバッテリ３６を配置した状態に保持する。  
取付部５４の両側からそれぞれ連結部５２ａ，５２ｂが延び、ハンドル１８側の連結部５２ｂは、先端に形成したフック状の係止部５３を保持部４２に形成した係合孔４３に、この保持部４２の内側すなわちバッテリ３６側係合させることにより、保持部４２に連結してある。また、切欠き部４８は、底壁４６ａの全体を差渡す状態に形成されており、保持部４２を大きく開くことができる。これにより、取付部５４をリールシート２８に固定した状態でも、締付手段５０による締付けを解除した後、係合孔４３を形成した側の保持部４２を持ち上げてフック状の係止部５３から抜き出し、切欠き部４８を介して大きく開くことができる。バッテリ３６を簡単に交換することができる。なお、連結部５２ａ，５２ｂは、それぞれ釣竿８の両側を支持するためバッテリ３６を安定して取り付けることができる。
【００３１】
図１０および図１１は、第４実施形態を示す。本実施形態のバッテリホルダ４０Ｃは、取付部５４が、図１から図３に示す実施形態と相違する。  
本実施形態のバッテリホルダ４０Ｃは、上述の実施形態における取付部５４の前部抜け止め部５４ａおよび後部抜け止め部５４ｂが省略されている。一方、側方への抜け止め用として、取付脚部２４のハンドル１８側の側部に係合する抜け止め用の突片５６ａに加え、連結部５２が延出する側にも抜け止め用の突片５６ｂが設けられている。
【００３２】
この実施形態におけるバッテリホルダ４０Ｃは、リールシート２８の固定カバー３２Ａと移動カバー３２Ｂとの間である程度の前後移動が可能であるため、バッテリ３６の配置位置を前後に調節することができる。
【００３３】
図１２および図１３は、第５実施形態を示す。本実施形態のバッテリホルダ４０Ｄは、取付部５４の長手方向中央部に、ハンドル側に開口する凹部５５が形成されている。
【００３４】
取付部５４の凹部５５に、魚釣用電動リール１０のリール本体１２と取付脚部２４との接合部を収容することができ、したがって、取付部５４は、取付脚部２４の上側に重ねて配置することができ、取付脚部２４と釣竿８のリールシート２８の固定カバー３２Ａと移動カバー３２Ｂで挟持できる。このバッテリホルダ４０Ｄによると、魚釣用電動リール１０をリールシート２８から取外すことなく、バッテリホルダ４０Ｄのみを交換することが可能となる。
【００３５】
図１４から図１６は、第６実施形態を示す。本実施形態のバッテリホルダ４０Ｅは、保持部４２が上述の実施形態と異なる。  
本実施形態のバッテリホルダ４０Ｅは、保持部４２の両端が開口したリング状形状を有し、バッテリ３６のケーシング外周面に形成した周方向溝３７に嵌合した状態に固定されている。このリング状の保持部４２に、取付部５４と一体構造の連結部５２が結合されており、このバッテリホルダ４０Ｅはバッテリ３６に直接止着された一体的な構造を有し、バッテリ３６を着脱することはできない構造に形成されている。
【００３６】
このバッテリホルダ４０Ｅは、バッテリ３６と一体化されていることにより、極めて簡単な構造で、安価に製造することができる。
【００３７】
以上、本発明の好ましい種々の実施形態について説明してきたが、本発明は、上述の実施形態に限定されるものではなく、その要旨を逸脱しない範囲で種々変形実施できることは言うまでもない。例えば、第６実施形態のバッテリホルダ４０Ｅに、第４実施形態のバッテリホルダ４０Ｃに用いた取付部５４を組合わせることも可能である。
【００３８】
また、保持部４２はバッテリ３６が保持できるものであれば全て本発明の範囲に含むものである。
【図面の簡単な説明】
【００３９】
【図１】本発明の好ましい実施形態によるバッテリホルダを釣用バッテリと共に示す説明図。
【図２】図１のバッテリホルダを用いて釣竿にバッテリを取付けた状態の一部を縦断面で示す側面図。
【図３】図２の釣竿の後部から見た状態の一部を横断面で示す説明図。
【図４】第２実施形態によるバッテリホルダを示す図１と同様な説明図。
【図５】第２実施形態によるバッテリホルダを用いた図２と同様な側面図。
【図６】第２実施形態によるバッテリホルダを用いた図３と同様な説明図。
【図７】第３実施形態によるバッテリホルダを示す図１と同様な説明図。
【図８】第３実施形態によるバッテリホルダを用いた図３と同様な説明図。
【図９】第３実施形態によるバッテリホルダを用いた状態を図８とは異なる部分を断面で示す図３と同様な説明図。
【図１０】第４実施形態によるバッテリホルダを示す図１と同様な説明図。
【図１１】第４実施形態によるバッテリホルダを用いた図３と同様な説明図。
【図１２】第５実施形態によるバッテリホルダを示す図１と同様な説明図。
【図１３】第５実施形態によるバッテリホルダを用いた図３と同様な説明図。
【図１４】第６実施形態によるバッテリホルダを釣用バッテリと共に示す斜視図。
【図１５】第６実施形態によるバッテリホルダを用いた図３と同様な説明図。
【図１６】第６実施形態によるバッテリホルダを用いた図２と同様な側面図。
【符号の説明】
【００４０】
８…釣竿、１０…魚釣用電動リール、２４…取付脚部、２８…リールシート、３６…給電用バッテリ、４０…バッテリホルダ、４２…保持部、５４…取付部。
【図１】
2006280224.tif 000003
【図２】
2006280224.tif 000004
【図３】
2006280224.tif 000005
【図４】
2006280224.tif 000006
【図５】
2006280224.tif 000007
【図６】
2006280224.tif 000008
【図７】
2006280224.tif 000009
【図８】
2006280224.tif 000010
【図９】
2006280224.tif 000011
【図１０】
2006280224.tif 000012
【図１１】
2006280224.tif 000013
【図１２】
2006280224.tif 000014
【図１３】
2006280224.tif 000015
【図１４】
2006280224.tif 000016
【図１５】
2006280224.tif 000017
【図１６】
2006280224.tif 000018